(57)【要約】  与えられた型の物品、特に衣類に対して、グレーディング・マスクが用いられる。該グレーディング・マスクは、基準物品のピースのイメージと、各々が基準物品のピースの１つまたは複数の特徴点を含む複数の幾何学的グレーディング領域と、種々の領域のそれぞれの１つと関連したグレーディング・フォーミュラとを有する。各グレーディング・フォーミュラは、関連のグレーディング領域において、かつ寸法のスケールの１つまたは複数の大きさにおける変動のまたは所定の増分値の関数として、基本サイズからもう１つのサイズに行くために前記領域に含まれた各特徴点に与えられるべき変位を決定することを可能とする。
2008511889.tif 000002
【特許請求の範囲】
【請求項１】
与えられた型の物品、特に、複数のピースを組み合わせることによって形成される衣類の型の物品、を自動的にグレーディングする方法であって、
グレーディングされるべき物品の型と同じ型の基準物品のピースのイメージを有するグレーディング・マスク、並びに与えられた基本サイズに対して、複数の幾何学的グレーディング領域を用い、グレーディング領域の各々は、基準物品のピースの１つまたは複数の特徴点、並びに種々の領域のそれぞれの１つと関連したグレーディング・フォーミュラを含み、各グレーディング・フォーミュラは、関連のグレーディング領域において、かつ寸法のスケールの１つまたは複数の大きさにおける変動のまたは所定の増分値の関数として、基本サイズからもう１つのサイズに行くために前記領域に含まれたそのまたは各々の特徴点に与えられるべき変位を決定することを可能とし、
グレーディング・マスクの基本サイズに対応する物品サイズに対してグレーディングされるべき物品のピースのイメージを呼び出し、
マスクのピースの位置に対応する位置に、グレーディング・マスク上にグレーディングされるべき物品のピースのイメージを置き、
マスクのグレーディング・フォーミュラに基づいて、かつグレーディングされるべき物品に対する寸法の選択されたスケールに基づいて、グレーディングされるべき物品のピースを自動的にグレーディングする、
ようにした方法。
【請求項２】
グレーディングされるべき物品のピースの特徴点が、グレーディング・マスクの複数のグレーディング領域に含まれるとき、前記グレーディング領域の各々のグレーディング・フォーミュラが前記特徴点に累積的に適用される請求項１に記載の方法。
【請求項３】
グレーディング・マスクのピースのイメージと対応してグレーディングされるべき物品のピースのイメージを置くステップの後に、マスクのピースの特徴点を含む各グレーディング領域が、グレーディングされるべき物品の対応する特徴点をも含むように、マスクの１つまたは複数のグレーディング領域を修正するステップが続く請求項１または２に記載の方法。
【請求項４】
１つまたは複数の特別なグレーディング領域をも含むグレーディング・マスクが用いられ、特別なグレーディング領域の各々は、マスクのピースの外形部分と、グレーディング中に外形の部分に適用されるべき制約を特定して、各特別なグレーディング領域と関連した少なくとも１つの特別なグレーディング・フォーミュラとを含み、そしてグレーディング中に、グレーディングされるべき物品のピースの１つまたは複数の外形部分を含む特別なグレーディング領域と関連した特別なグレーディング・フォーミュラが、そのまたは各外形部分に適用される請求項１乃至３のいずれか１項に記載の方法。
【請求項５】
特別なグレーディング・フォーミュラは、外形部分の制約、すなわち、形状の制約、長さの制約、及び配向の制約の少なくとも１つから選択された制約を表現する請求項４に記載の方法。
【請求項６】
与えられた型の物品、特に、複数のピースを組み合わせることによって形成される衣類の型の物品、を自動的にグレーディングするためのグレーディング・マスクを創成する方法であって、
与えられた基本サイズのためのこのタイプの基準物品のピースのイメージを用い、
平面内に該物品のピースのイメージを位置付け、
グレーディング領域の各々が平面の幾何学的ゾーンによって限定されかつ物品のピースの少なくとも１つの特徴点を含む場合の、該グレーディング領域を創成し、そして
関連のグレーディング領域において、かつ寸法のスケールの１つまたは複数の大きさにおける変動のまたは所定の増分値の関数として、基本サイズからもう１つのサイズに行くために前記領域に含まれたそのまたは各々の特徴点に与えられるべき変位を決定することを可能とするグレーディング・フォーミュラに各グレーディング領域を関連させる、
ようにした方法。
【請求項７】
さらに、
各々がマスクのピースの外形の部分を含む１つまたは複数の特別なグレーディング領域を創成し、そして、グレーディング中に外形の部分に与えられるべき制約を特定する少なくとも１つの特別なグレーディング・フォーミュラに各特別なグレーディング領域を関連させる、ようにした請求項６に記載の方法。
【請求項８】
与えられた型の物品、特に、複数のピースを組み合わせることによって形成される衣類の型の物品、を自動的にグレーディングするためのグレーディング・マスクであって、
与えられた基本サイズに対して、グレーディングされるべき物品の型と同じ型の基準物品のピースのイメージと、複数の幾何学的グレーディング領域であって、それらグレーディング領域の各々は、基準物品のピースの１つまたは複数の特徴点を含む前記グレーディング領域と、種々の領域のそれぞれの１つと関連したグレーディング・フォーミュラとを有し、各グレーディング・フォーミュラは、関連のグレーディング領域において、かつ寸法のスケールの１つまたは複数の大きさにおける変動のまたは所定の増分値の関数として、基本サイズからもう１つのサイズに行くために前記領域に含まれたそのまたは各々の特徴点に与えられるべき変位を決定することを可能とするグレーディング・マスク。
【請求項９】
さらに、
各々がマスクのピースの外形の部分を含む１つまたは複数の特別なグレーディング領域と、各特別なグレーディング領域と関連される少なくとも１つの特別なグレーディング・フォーミュラであって、グレーディング中に外形の部分に与えられるべき制約を特定する前記少なくとも１つの特別なグレーディング・フォーミュラと、を含む請求項８に記載のグレーディング・マスク。
【請求項１０】
グレーディング・マスクは、ディジタル形態である請求項８または９に記載の一組のグレーディング・マスク。
【発明の詳細な説明】
【技術分野】
【０００１】
本発明は、複数のピース（断片）を組み合わせることにより形成される与えられた型の物品、特に衣類をグレーディング（ｇｒａｄｉｎｇ）する方法に関する。
【背景技術】
【０００２】
衣類は、一般に、基本モデル（ベースモデル）またはパターンに対応する複数のピースを組み合わせることにより作られ、複数のピースの各々は、特定の外形（アウトライン）及び任意選択的には或る追加の内部マーカを有する、平面に展開された領域の形態にある。
【０００３】
衣類のサイズは、胸部サイズ、頚部サイズ、臀部サイズ、等のような特定の寸法に関して、並びに、衣類に与えられるべきスタイル（例えば、ぴったりスタイルまたはゆったりスタイル）によって、主に決定される。種々の寸法は、サイズの等級表（スケール）、もしくは目標とする人々に依存して異なる、寸法の表に系統化される。
【０００４】
従って、衣類の各ピース（断片）に対して、グレーディングは、基本サイズに対応する基本モデルから、追加のパターンを得ることにある操作であり、該追加のパターンは、寸法の与えられたスケール（比率）の関数として異なった（より大きいまたはより小さい）サイズのものであるが、それらの形状に関しては基本モデルのものと類似したままのものである。
【０００５】
グレーディングは、衣類が作られるべき材料からピースを切断する準備のために必要なピースの幾何学的レイアウトを種々のサイズで得ることを可能とし、ここに、衣類が作られるべき材料は、例えば、織布（織物）、レザー（革）、もしくは任意の他の所望の自然または合成材料であって良い。
【０００６】
グレーディングは、また、例えば、靴作りの分野のような、基本モデルに対応すべきである異なったサイズの物品を作るという他の分野のすべてに適用される。
【０００７】
グレーディングが衣類に適用されるとき、特徴点または“外形点”が基本モデルのピースの上にマークされることができ、外形点の情報は、任意選択的にはピースの内部にマーカをも有して、ピースのイメージ（像または姿）を完全に再構成することを可能とする。
【０００８】
各異なったサイズに対して、グレーディングは、基本モデルの特徴点に対応する特徴点を決定することにあり、かつ寸法の与えられたスケール（比率）を参照してグレーディング・ルールを適用することにある。この方法で決定された特徴点に基づいて、問題のサイズのための基本モデルのためのイメージは、自動的にプロットされ得、このことは、自動的なカッティングアウト（切断）が順次に行われるのを可能とする。
【０００９】
衣類の各タイプごとにかつ寸法の各スケールごとに、多くのグレーディング・ルールが存在し、このような方法を適用する際の主な困難性は、与えられた基本サイズに基づいて、衣類の各ピースの各特徴点に対して適切なグレーディング・ルールを選択することにある。しばしば、経験あるスタッフの知識やノウハウが用いられる。
【発明の開示】
【発明が解決しようとする課題】
【００１０】
本発明の目的は、用いるのが簡単で、寸法の選択されたスケールとは無関係に種々のサイズに対して物品が自動的にグレーディングされるのを可能とする方法を提案することによって上記のような欠点をまさに解消することである。
【課題を解決するための手段】
【００１１】
本発明によれば、これらの目的は、与えられた型の物品、特に、複数のピースを組み合わせることによって形成される衣類の型の物品、を自動的にグレーディングする方法であって、
グレーディングされるべき物品の型と同じ型の基準物品のピースのイメージを有するグレーディング・マスク、並びに与えられた基本サイズに対して、複数の幾何学的グレーディング領域を用い、グレーディング領域の各々は、基準物品のピースの１つまたは複数の特徴点、並びに種々の領域のそれぞれの１つと関連したグレーディング・フォーミュラを含み、各グレーディング・フォーミュラは、関連のグレーディング領域において、かつ寸法のスケールの１つまたは複数の大きさにおける変動のまたは所定の増分値の関数として、基本サイズからもう１つのサイズに行くために前記領域に含まれたそのまたは各々の特徴点に与えられるべき変位を決定することを可能とし、
グレーディング・マスクの基本サイズに対応する物品サイズに対してグレーディングされるべき物品のピースのイメージを呼び出し、
マスクのピースの位置に対応する位置に、グレーディング・マスク上にグレーディングされるべき物品のピースのイメージを置き、
マスクのグレーディング・フォーミュラに基づいて、かつグレーディングされるべき物品に対する寸法の選択されたスケールに基づいて、グレーディングされるべき物品のピースを自動的にグレーディングする、
ようにした方法によって達成される。
【００１２】
本発明の方法は、このように多くの利点を提供する。特に、それは自動的であり、用いるのが簡単であり、グレーディングされるべき物品のピースのイメージとは別に、寸法の選択されたスケールとは別に、そして現存するグレーディング・マスクとは別に、それを履行するために他の要素は必要ではない。さらに、物品の与えられたスタイルに対して創設される同じグレーディング方法は、それと類似したスタイルに対して並びに寸法の種々のスケールに対して適用され得る。視覚的かつ幾何学的モードでグレーディング・ステップを表現することにより、当該方法は、また、寸法のスケールのグレーディング・フォーミュラを適用することが、物品の各ピースのグレーディングに如何に影響するかを見るのをも可能とする。
【００１３】
本発明の特定の特徴によれば、グレーディングされるべき物品のピースの特徴点が、グレーディング・マスクの複数のグレーディング領域に含まれるとき、前記グレーディング領域の各々のグレーディング・フォーミュラが前記特徴点に累積的に適用される。
【００１４】
グレーディング・マスクのピースのイメージと対応してグレーディングされるべき物品のピースのイメージを置くステップの後に、マスクのピースの特徴点を含む各グレーディング領域が、グレーディングされるべき物品の対応する特徴点をも含むように、マスクの１つまたは複数のグレーディング領域を修正するステップが続く。
【００１５】
グレーディングされるべき物品の或る特定の制約を満たすために、１つまたは複数の特別なグレーディング領域をも含むグレーディング・マスクを用いることが可能であり、特別なグレーディング領域の各々は、マスクのピースの外形部分と、グレーディング中に外形の部分に適用されるべき制約を特定して、各特別なグレーディング領域と関連した少なくとも１つの特別なグレーディング・フォーミュラとを含み、そしてグレーディング中に、グレーディングされるべき物品のピースの１つまたは複数の外形部分を含む特別なグレーディング領域と関連した特別なグレーディング・フォーミュラが、そのまたは各外形部分に適用される。
【００１６】
いずれかの場合において、特別なグレーディング・フォーミュラは、外形部分の制約、すなわち、形状の制約、長さの制約、及び配向の制約の少なくとも１つから選択された制約を表現する。
【００１７】
本発明は、また、グレーディング・マスクを創成する方法であって、
与えられた基本サイズのためのこのタイプの基準物品のピースのイメージを用い、
平面内に該物品のピースのイメージを位置付け、
グレーディング領域の各々が平面の幾何学的ゾーンによって区画されかつ物品のピースの少なくとも１つの特徴点を含む場合の、該グレーディング領域を創成し、そして
関連のグレーディング領域において、かつ寸法のスケールの１つまたは複数の大きさにおける変動のまたは所定の増分値の関数として、基本サイズからもう１つのサイズに行くために前記領域に含まれたそのまたは各々の特徴点に与えられるべき変位を決定することを可能とするグレーディング・フォーミュラに各グレーディング領域を関連させる、
ようにした方法、をも提供する。
【００１８】
本発明は、また、与えられた基本サイズに対して、グレーディングされるべき物品の型と同じ型の基準物品のピースのイメージと、複数の幾何学的グレーディング領域であって、それらグレーディング領域の各々は、基準物品のピースの１つまたは複数の特徴点を含む前記グレーディング領域と、種々の領域のそれぞれの１つと関連したグレーディング・フォーミュラとを有し、各グレーディング・フォーミュラは、関連のグレーディング領域において、かつ寸法のスケールの１つまたは複数の大きさにおける変動のまたは所定の増分値の関数として、基本サイズからもう１つのサイズに行くために前記領域に含まれたそのまたは各々の特徴点に与えられるべき変位を決定することを可能とするグレーディング・マスクをも提供する。
【００１９】
本発明は、また、グレーディング・マスクがディジタル形態である上述した一組のグレーディング・マスクをも提供する。
【００２０】
本発明の他の特徴及び長所は、どんな場合でも本発明を制限するものではない本発明の履行を示す添付図面を参照して与えられる以下の説明から明らかである。
【発明を実施するための最良の形態】
【００２１】
以下の説明において、衣類のピースをグレーディングすることに対する考察が与えられる。しかしながら、本発明は、衣類以外の物品のピース、例えば、異なったサイズでも作られる、基本モデルに対応するべき靴または他の履物類（フットウェア）のピースをグレーディングすることにも適用可能である。
【００２２】
グレーディング方法
最初に、本発明のグレーディング方法の特定の履行におけるステップを示す図１を参照する。
【００２３】
概して、本発明のグレーディング方法は、特にグラフィック・ワークステーション及びグレーディング・ソフトウェアが装備されたコンピュータ・システムによって履行され得る。グラフィック・ワークステーションは、衣類をデザインするためのコンピュータ支援されたデザイン（ＣＡＤ）・ソフトウェアと同じ型のものであって良い。
【００２４】
当該方法の第１のステップ（１０）において、オペレータは、与えられた基本サイズに対してグレーディングされるべき衣類と同じ型の基準（ｒｅｆｅｒｅｎｃｅ）衣類のピースのイメージを有するグレーディング・マスクを探して用いる。
【００２５】
グレーディング・マスクの作成方法を以下に説明するが、グレーディング・マスクは、また、複数のグレーディング幾何学的領域をも有し、その各々は、基準衣類のピースの特徴である１つまたは複数の特徴点と、異なった領域のそれぞれの領域と関連するグレーディング・フォーミュラを含む。
【００２６】
関連のグレーディング領域の内側で、寸法のスケールの１つまたは複数の大きさの変動の、または所定の増分値の関数として、各グレーディング・フォーミュラは、基本サイズからもう１つのサイズに行くために、前記領域に含まれたそのまたは各特徴点に適用される変位を決定することを可能とする。
【００２７】
グレーディング・マスクは、また、１つまたは複数の特別なグレーディング領域を有し得、その各々は、マスクのピースの外形（ｏｕｔｌｉｎｅ）の部分を含み、そして、各特別なグレーディング領域と関連し、かつグレーディング中に外形の部分に適用されるべき制約を特定する少なくとも１つの特別なグレーディング・フォーミュラを含む。
【００２８】
用いられるべきグレーディング・マスクを探索する際にオペレータを助けるために、マスクに含まれる基準衣類のピースのイメージが、物品を形成するためのそれらの組合せ位置に実質的に類似している相対位置内の平面内に位置付けられ得る。
【００２９】
グレーディング・マスクは、長所的には、例えば、グレーディング・コンピュータ・システムのデータベース内に記憶され得るディジタル形態にある。
【００３０】
次のステップ（１２）は、用いられるべきグレーディング・マスク（すなわち、基準衣類のピースのイメージ及びそれらに関連するグレーディング幾何学的領域）を、例えば、ワークステーションのスクリーン上に表示することから成る。
【００３１】
グレーディング方法のもう１つのステップ（１４）の間中、オペレータは、グレーディング・マスクの基本サイズに対応する衣類サイズのためにグレーディングされるべき衣類のピースのイメージを、例えば、ワークステーションのスクリーン上に呼び出す。
【００３２】
それ自体既知の態様で、グレーディングされるべき衣類のピースのイメージは、特にＣＡＤシステムを用いることによって衣類のデザインをする間に生成される。それらも、また、ディジタル形態にあり、メモリ内にまたはグラフィックス・ワークステーションのデータベース内に記憶される。
【００３３】
当該方法のその後のステップ（１６）は、マスク内に含まれる基準物品のピースの位置に対応する位置に、グレーディング・マスク上でグレーディングされるべき衣類のピースのイメージを、オペレータが置くことから成る。
【００３４】
イメージを重ねるこの操作（１６）は、オペレータによって手動で、例えば、マウス型の適切なツールによって行われ得る。それは、グレーディングされるべき衣類のピースの位置を、グレーディング・マスクのピースの位置とできる限り接近して対応させることから成る。
【００３５】
グレーディングされるべき衣類のピースの特徴点の名称は、ワークステーション上に呼び出されたディジタル・イメージにすでに含まれ得る。それらは、また、イメージが重ねられてしまったときに基準衣類のピースの名称と整合させることによってオペレータによって割り当てられ得る。
【００３６】
重ね合わせ動作は、また、グレーディングされるべき衣類のピースの特徴点に名称を割り当てることをも任意選択的に可能とする方法によっても自動的に行われ得、これにより、それらは、グレーディング・マスクのピースの特徴点の名称と整合する。
【００３７】
実際において、このような方法は、グレーディング・マスクのピースと実質的に対応させてグレーディングされるべき衣類のピースのイメージをオペレータが置くことから成る。コンボリューションを含むコンピュータ・ルーチンは、グレーディング・マスクのピース上にグレーディングされるべき衣類のピースを最良に重ね合わせることを決定するために、ピースのセグメントの相対側長及び連続角度のシーケンスを分析する。ピースのこれらの相対位置に基づいて、特徴点の名称は、近接により及び角度間隔値によりグレーディングされるべき衣類のピースに自動的に割り当てられ得る。
【００３８】
必要ならば、グレーディング・マスクのピースのイメージと対応させてグレーディングされるべき衣類のピースのイメージを置くステップ（１６）の後に、マスクのピースの特徴点を含む各グレーディング領域が、また、グレーディングされるべき物品の対応のピースの対応の特徴点をも含むようにマスクの１つまたは複数のグレーディング領域を修正するステップ（１８）が続くようにすることもできる。
【００３９】
マスクのグレーディング領域を修正するステップ（１８）は、例えば、マウスによって変更されるべき種々のグレーディング領域を選択することによって、オペレータによって手動で行われ得る。
【００４０】
グレーディングされるべき衣類のピースのイメージが、グレーディング・マスク上に正確に位置付けられると、グレーディング方法の最後のステップ（２０）は、グレーディングされるべき衣類のピースのグレーディング妥当性を自動的に行うことから成る。
【００４１】
グレーディング（２０）は、グレーディングされるべき衣類のために選択された寸法のスケールの及びマスクのグレーディング・フォーミュラに基づいて行われる。
【００４２】
任意選択的には、グレーディング（２０）の間中、特別なグレーディング領域と関連した特別なグレーディング・フォーミュラが、前記特別なグレーディング領域に含まれているグレーディングされるべき衣類のピースのそのまたは各外形部分に適用される。
【００４３】
グレーディング・ステップ（２０）の間中、特に、基準衣類のサイズよりも大きいサイズに衣類をグレーディングする際に前記ピースが重複するのを回避するために、衣類のピースのイメージが互いに対して配置される方法を自動的に調整するための手段が為され得る。
【００４４】
グレーディング・マスク
本発明のグレーディング・マスクを創成する方法における種々のステップを、図２及び図３を参照して以下に説明する。
【００４５】
図２は、グレーディング・マスクを創成する方法の特別な履行のステップを示す。
【００４６】
図３は、与えられた基本サイズを有する基準のシャツのためのグレーディング・マスクの部分的な例を示す。
【００４７】
本発明のグレーディング方法におけるように、グレーディング・マスクを創成する方法は、特に、グラフィックス・ワークステーション及びグレーディング・ソフトウェアが装備されたコンピュータ・システムによって履行され得る。
【００４８】
当該方法の第１のステップ（２２）において、与えられた基本サイズに対して与えられた型の基準衣類のピースのイメージが用いられる。
【００４９】
図３における例において、基準衣類は、シャツ１００’である。該シャツは種々のピースから成り、特に、前部ピース１０２’、背部ピース１０４’、スリーブ１０６’、そして“そでぐり”またはアームホール・ピース１０８’から成る。
【００５０】
基準シャツのピースの各々は、その特徴点または“外形点”によって限定され、その知識は、イメージを完全に再構成するのを可能とする。
【００５１】
例えば、前部１０２’の外形（輪郭）は、その特徴点Ｐ’４４からＰ’５３までによって識別される。
【００５２】
基準衣類のピースのイメージは、例えば、グレーディング・コンピュータ・システムのワークステーションのスクリーン上に表示され、そして、それらは、平面に位置付けられる（ステップ２４）。
【００５３】
図３に示されるように、基準シャツのピースのイメージは、シャツを形成するためのそれらの組立て位置と実質的に同様の位置における平面において位置付けられ得る。
【００５４】
当該方法の次のステップ（２６）は、グレーディング領域を創成することから成り、該グレーディング領域の各々は、平面の幾何学的ゾーンによって限定され、その各々は、基準衣類のピースの少なくとも１つの特徴点を含む。
【００５５】
グレーディング領域の幾何学的ゾーンは、多角形（例えば、矩形）形状によって、２つの並行な（ｃｏｎｃｕｒｒｅｎｔ）直線によって、または半平面を限定する単一の直線によって区画され得る。
【００５６】
それらは、オペレータによって視覚的に、例えば、グレーディング・コンピュータ・システムのグラフィックス・ワークステーションによって創成される。
【００５７】
図３に示される例において、マスクのグレーディング領域は、基準シャツ１００’の前部ピース１０２’に対してのみ図式的に示されている。前記領域は、点線の矩形１１０’〜１１４’として示されている。
【００５８】
グレーディング領域１１０’〜１１４’の各々は、ピース１０２’の少なくとも１つの特徴点を含んでいる。
【００５９】
ピース１０２’の同じ特徴点は、複数の異なったグレーディング領域に含まれ得るということが観察され得る（このことは、特に、点Ｐ’４８、Ｐ’４９及びＰ’５３に当てはまる）。
【００６０】
同様に、Ｐ’４５及びＰ’４６のような或る特徴点は、グレーディング領域のいずれにも属し得ない。
【００６１】
マスクを創成する方法の次のステップ（２８）において、各グレーディング領域は、グレーディング・フォーミュラと関連し、該グレーディング・フォーミュラは、関連のグレーディング領域において、かつ寸法（ｍｅａｓｕｒｅｍｅｎｔｓ）のスケールの１つまたは複数の変動の関数もしくは所定の増分値の関数として、基本サイズからもう１つのサイズに行くために前記領域内に含まれるそのまたは各々の特徴点に適用されるべき変位を決定するのを可能とする。
【００６２】
グレーディング領域と関連したグレーディング・フォーミュラは、寸法スケール（ａ  ｍｅａｓｕｒｅｍｅｎｔ  ｓｃａｌｅ）の寸法記憶術（ｔｈｅ  ｍｅａｓｕｒｅｍｅｎｔ  ｍｎｅｍｏｎｉｃｓ）を用いて創成される。
【００６３】
図３の例において、前部ピース１０２’のグレーディング領域のそれぞれの１つと関連したかかるグレーディング・フォーミュラも、矩形１１０’〜１１４’に示されている。
【００６４】
例えば、グレーディング領域１１１’に対して、グレーディング・フォーミュラは、Δ／２であり、それは、（変位ベクトルによって示される）グレーディング方向と関連している。
【００６５】
グレーディング・フォーミュラΔＣ／２は、寸法の選択されたスケールに言及しており、この特別な場合において、それは、グレーディング領域１１１’内に含まれるグレーディングされるべきピースの特徴点のすべてが、基本サイズの値に依存して、かつスケール内に示される“胸部”寸法の値の変動（Δ）の半分だけ変位ベクトルによって表される方向に、増分されなければならないと言うことを明記している。
【００６６】
以下の表は、目標とする人々に対する寸法（測定）のスケールの部分を示す例であり、それは、このようなグレーディング・フォーミュラが如何に適用されるかの実際例を与えるのを可能とする。
【００６７】
【表１】
2008511889.tif 000003
【００６８】
出発する仮定は、基準シャツが、（サイズＬ３に対応する長さを有する）サイズ４０であり、サイズ４２のシャツを得ることが望まれる、ということである。
【００６９】
グレーディング領域１１１’のためのグレーディング・フォーミュラΔＣ／２は、このように、前記領域に含まれるグレーディングされるべきピースの特徴点のすべてが、値（５１８−５１２）／２、すなわち、３だけ、“下方に”増分されなければならないと言うことを示す。
【００７０】
同様に、領域１１４’のためのグレーディング・フォーミュラは、変位ベクトルと関連したΔＣ／３であるので、前記領域に含まれる、グレーディングされるべきピースの特徴点のすべては、値（５１８−５１２）／３、すなわち、２だけ、“右方に”増分されなければならない。
【００７１】
領域１１０’のグレーディング・フォーミュラは、変位ベクトルと関連したΔＬＣであるということに留意すべきである。同じ基本サイズ（この例ではサイズ４０）に対して、このようなグレーディング・フォーミュラは、値Ｌ１、Ｌ２、Ｌ３、Ｌ５、及びＬ６のそれぞれの１つによって寸法（測定）のスケールで表される複数の可能なシャツの長さを得ることを可能とする。
【００７２】
点Ｐ’５３は２つのグレーディング領域１１０’及び１１１’に属しているので、グレーディングされるべきピースの特徴点は、そのグレーディング方向と関連したグレーディング・フォーミュラΔＣ／２によって、及びその変位ベクトルと関連したグレーディング・フォーミュラΔＬＣによって、その双方によって同時にグレーディングされる。
【００７３】
グレーディング・マスクは、このように、１つまたは複数のグレーディング領域を有し得、各領域のグレーディング・フォーミュラは、所定の増分値の関数である。図３の例においては、グレーディング領域は、グレーディング領域１１２’及び１１３’であり、それらに対してグレーディング・フォーミュラは、“５”及び“９”であり、その各々は、変位ベクトルと関連している。
【００７４】
従って、領域１１２’に対して、グレーディング・フォーミュラ“５”は、前記領域に含まれ、グレーディングされるべきピースの特徴点のすべての変位の振幅が、２つの連続するサイズ間でグレーディングするために、５ミリメートル（ｍｍ）の所定値に対応し、かつ変位ベクトルによって表される方向に対応する、ということを示す。
【００７５】
さらに、図３に示される例において、種々のグレーディング・フォーミュラと関連したグレーディング方向は、基準ピースのサイズよりも大きいサイズに対して前部ピース１０４’をグレーディングすることに対応する変位ベクトルによって表される。
【００７６】
基準ピースのサイズよりも小さいサイズにピースをグレーディングすることが望まれる場合には、１８０°の角度が前記変位ベクトルに割り当てられるべきである。一層一般的には、到達すべきサイズと基準ピースのサイズとの間の増分差が負であるときには、１８０°の角度が、図３に示される変位ベクトルに割り当てられるべきである。
【００７７】
このように、もし、（サイズＬ２に対応する）サイズ３８のシャツを得ることが望まれる場合には、領域１１４’に含まれ、グレーディングされるべきピースの特徴点のすべてが、値２だけ“左方に”増分される。
【００７８】
１つまたは複数の特別なグレーディング領域を創成することも可能であり、その各々は、マスクのピースの外形の部分を含んでいる（ステップ３０）。
【００７９】
特別なグレーディング領域の各々は、グレーディング中に外形の部分に与えられるべき制約を特定する特別なグレーディング・フォーミュラと関連している（ステップ３２）。
【００８０】
例えば、外形の部分に与えられるべき制約は、形状、長さ、または配向の制約であり得る。
【００８１】
特別なグレーディング領域に及び上述で限定した標準グレーディング領域にの双方に含まれるグレーディングされるべきピースの特徴点は、それぞれのグレーディング手順（特別の及び標準の）を用いて、独立的にグレーディングされる。
【００８２】
特別なグレーディング領域の例を図３を参照して以下に説明する。
【００８３】
このような基準シャツに対しては、特別なグレーディング領域が創成され得、該特別なグレーディング領域は、（シャツのアームホールに対応する）点Ｐ’４９〜Ｐ’５１によって限定される領域に及び（シャツのアームホールに対応する）点Ｐ’４〜Ｐ’６によって限定される領域にあるそれぞれ前部ピース１０２’の及び背部ピース１０４’の外形部分に対して創成され、点Ｐ’１７〜Ｐ’２３によって限定される領域にあるスリーブ１０６’の外形の部分に対して創成され、そして点Ｐ’５７〜Ｐ’５９によって限定されるアームホール・ピース１０８’の外形の部分に対して創成される。
【００８４】
例えば、これらの特別なグレーディング領域は、以下の特別なグレーディング・フォーミュラと関連し得る：
Ｌ（Ｐ’１７、Ｐ’２０）＝Ｌ（Ｐ’５１、Ｐ’４９）                        （１）
Ｌ（Ｐ’２０、Ｐ’２３）＝Ｌ（Ｐ’４、Ｐ’６）＋Ｌ（Ｐ’５７、Ｐ’５９）  （２）
【００８５】
このように、フォーミュラ（１）は、マスクの点Ｐ’１７〜Ｐ’２０によって限定される領域にあるグレーディングされるべきシャツのスリーブの部分が、グレーディングされる際に各サイズごとに、基本サイズに対して既知の長さ割合と同じ長さ割合を維持すべきであるということを特定する。
【００８６】
同様に、フォーミュラ（２）は、マスクの点Ｐ’２０〜Ｐ’２３によって限定される領域にあるグレーディングされるべきシャツのスリーブの形状が、グレーディングされる際に各サイズごとに、同じサイズにおける背部ピースの点Ｐ’６〜Ｐ’４によって限定される対応の長さと、アームホール・ピースの点Ｐ’５７〜Ｐ’５９によって限定される長さとを足したものと同じ長さ割合を有するべきであるということを示す。
【００８７】
特別なグレーディング・フォーミュラのもう１つの例は、以下の通りである：
Ｒ（Ｐ’ａ、Ｐ’ｂ、Ｐ’ｃ、方向、パラメータ）          （３）
【００８８】
このようなフォーミュラ（３）は、マスクの点Ｐ’ａ及びＰ’ｂによって限定される領域にあるグレーディングされるべきピースの外形の部分が、グレーディングされる際に、パラメータによって示される幾つかの度数を介して、特定された方向に（時計回りまたは反時計回り）点Ｐ’ｃの回りの回転を受けるはずである。
【００８９】
フォーミュラ（３）のこの型は、例えば、衣類におけるダーツをグレーディングする際に必要であり得、ダーツの点における角度は、サイズごとに一定量だけ変化するサイズと共に、または体の測定の１つの関数として変化する。
【００９０】
結果のグレーディング・マスクは、次に、各々が特定の基準衣類と関連している一組のグレーディング・マスクを含むグレーディング・コンピュータ・システムのデータベースに、例えば、ディジタル形態で記憶され得る（ステップ３４）。
【００９１】
グレーディング方法の適用の例
この例は、複数のピースを組み合わせることによって形成されるシャツを自動的にグレーディングすることに関する。
【００９２】
上述の図３は、このようなシャツをグレーディングすることに適用され得るグレーディング・マスクの断片的な例を示す。
【００９３】
図４は、グレーディングされるべきシャツのイメージの例を示す。図４において、シャツ１００は、種々のピースから、特に、前部ピース１０２、背部ピース１０４、スリーブ１０６、及びアームホールのピース１０８から作られ、それらピースの各々は、特徴点を有する。
【００９４】
この例においては、シャツの種々の構成要素のピースは、それらがシャツを形成するよう組み合わせられる位置と同様の相対位置における平面内に位置付けられる。
【００９５】
グレーディング方法の第１のステップ（１０）において、オペレータは、グレーディングされるべきシャツと同じ型の基準シャツのピースのイメージを有する図３のグレーディング・マスクを用いる。
【００９６】
マスクのピースの位置に対応する位置におけるグレーディング・マスク上にグレーディングされるべきシャツのピースのイメージを置くステップ（１６）が、図５に示されている。
【００９７】
明瞭さの理由のために、該図は、マスクに含まれる基準シャツの対応のピース１０２’上にグレーディングされるべきシャツの前部ピース１０２のイメージの配置だけを示している。
【００９８】
この実施形態において、グレーディング・マスクのピース１０２’上にピース１０２を重ねることは、完全ではない。
【００９９】
グレーディングされるべきシャツの前部ピース１０２の或る特徴点は、それらに割り当てられるマスクのグレーディング領域に含まれない。このことは、特に、マスクのグレーディング領域１１０’と関連されるべき点Ｐ４４及びＰ５５に対して、グレーディング領域１１１’の点Ｐ５２に対して、そしてグレーディング領域１１４’の点Ｐ４２に対して適用される。
【０１００】
マスクの１つまたは複数のグレーディング領域を修正もしくは変更するステップ（１８）は、グレーディングされるべきシャツの前部ピース１０２のそれぞれの特徴点Ｐ４４、Ｐ５４、Ｐ５２、及びＰ４７を含むようマスクのグレーディング領域１１０’、１１１’、及び１１４’に対して準備することによって、この問題を解決するのを可能とする。
【０１０１】
図６は、グレーディング領域を修正もしくは変更するこのようなステップの履行を示す。
【０１０２】
図６において、マスクのグレーディング領域１１０’、１１１’、及び１１４’は、前部ピース１０２の特徴点Ｐ４４、Ｐ５４、Ｐ５２、及びＰ４７のそれぞれの１つを含むよう拡張されるように修正もしくは変更されている。
【０１０３】
グレーディングされるべきシャツの前部ピース１０４のイメージが、グレーディング・マスク上に正しく位置付けられてしまうと、前部ピース１０４は、自動的にグレーディングされ得る。
【０１０４】
図７は、基準シャツの基本サイズよりも大きいサイズにグレーディングされるときにシャツの前部ピース１０４に対して得られたグレーディングの結果の例を示す。点線におけるピースの外形は、基本サイズを示し、連続した線におけるピースの外形は、得られた一層大きいサイズを示す。
【０１０５】
従って、種々の型の衣類に対するグレーディング・マスクの創成だけが、経験ある専門家のノウハウ及び知識を必要とする。１つの型の衣類に対して予め創設されたマスクは、次に、何等専門知識を必要とすることなく、非常に簡単に用いられ得る。
【図面の簡単な説明】
【０１０６】
【図１】本発明のグレーディング方法を履行する際の種々のステップを示すフローチャートである。
【図２】本発明のグレーディング・マスクを創成する方法を履行する際の種々のステップを示すフローチャートである。
【図３】シャツの例に適用された本発明のグレーディング方法における種々のステップのうちの１ステップを示す図である。
【図４】シャツの例に適用された本発明のグレーディング方法における種々のステップのうちの１ステップを示す図である。
【図５】シャツの例に適用された本発明のグレーディング方法における種々のステップのうちの１ステップを示す図である。
【図６】シャツの例に適用された本発明のグレーディング方法における種々のステップのうちの１ステップを示す図である。
【図７】シャツの例に適用された本発明のグレーディング方法における種々のステップのうちの１ステップを示す図である。
【符号の説明】
【０１０７】
１００’      基準シャツ
１０２’      前部ピース
１０４’      背部ピース
１０６’      スリーブ
１０８’      そでぐり（アームホール）・ピース
Ｐ’          特徴点
１１０’〜１１４’      グレーディング領域
１００        グレーディングされるべきシャツ
１０２        前部ピース
１０４        背部ピース
１０６        スリーブ
１０８        アームホールのピース
【図１】
2008511889.tif 000004
【図２】
2008511889.tif 000005
【図３】
2008511889.tif 000006
【図４】
2008511889.tif 000007
【図５】
2008511889.tif 000008
【図６】
2008511889.tif 000009
【図７】
2008511889.tif 000010
【国際調査報告】
2008511889.tif 000011
2008511889.tif 000012
2008511889.tif 000013
2008511889.tif 000014
2008511889.tif 000015